(57)【要約】【課題】押し切り時に片手で力を入れやすく、安定的に保持しやすい切断具を提供する。【解決手段】  切断をするための作用部２と、作用部２と接続部６を介して接続する柄部３を備える切断具１であって、柄部３の接続部側端部の押し切り側に設けられた、親指をかける第一指かけ部７と、第一指かけ部７よりも接続部６から離れた柄部３の支持側に設けられた、人差し指や中指をかける第二指かけ部１０と、を備えるよう構成した。【選択図】図１
2020127599.tif 000002
【特許請求の範囲】
【請求項１】
切断をするための作用部と、
前記作用部と接続部を介して接続する柄部を備える切断具であって、
前記柄部の前記接続部側端部であって、押し切りの押圧側に設けられた、親指をかける第一指かけ部と、
前記第一指かけ部よりも前記接続部から離れた前記柄部の支持側に設けられた、人差し指や中指をかける第二指かけ部と、
を備えていることを特徴とする切断具。
【請求項２】
請求項１に記載の切断具であって、
前記第二指かけ部は、前記接続部から前記第一指かけ部より１５ｍｍ以上離れている位置に設けられていることを特徴とする切断具。
【請求項３】
請求項１または２のいずれかに記載の切断具であって、
前記柄部の側面に中指、薬指、小指のうちいずれかの指または複数の指で握るための第三指かけ部を備えていることを特徴とする切断具。
【請求項４】
請求項１〜３のいずれかに一項に記載の切断具であって、
前記作用部の先端部に押し切りの押圧側に圧力をかけるための第四指かけ部を備えていることを特徴とする切断具。
【請求項５】
請求項１〜４のいずれか一項に記載の切断具であって、
前記作用部は刃先縁を有し、前記刃先縁に対して前記柄部の長手方向中心線が１６度以上傾斜していることを特徴とする切断具。
【請求項６】
請求項５に記載の切断具であって、
前記第一指かけ部は概略平面の頂面を有し、前記頂面は前記刃先縁に対して１０度以下傾斜していることを特徴とする切断具。
【請求項７】
請求項１〜６のいずれか一項に記載の切断具であって、
前記第二指かけ部は、直径２０ｍｍ以上の円の３分の１以上の円弧面を有していることを特徴とする切断具。
【請求項８】
請求項１〜７のいずれか一項に記載の切断具であって、
前記柄部の支持側は、前記第二指かけ部に隣接する突部から前記柄部の末端にかけて、緩やかに凹状に湾曲する湾曲部になっていることを特徴とする切断具。
【請求項９】
請求項１〜８のいずれか一項に記載の切断具であって、
前記第一指かけ部の頂面は、凹状に湾曲していることを特徴とする切断具。
【請求項１０】
請求項１〜９のいずれか一項に記載の切断具であって、
前記作用部は、長手方向の水平断面で見て湾曲刃、三角刃または四角刃の形状を有していることを特徴とする切断具。
【請求項１１】
請求項１〜１０のいずれか一項に記載の切断具であって、
そば切り用または餅切用の包丁であることを特徴とする切断具。
【請求項１２】
請求項１〜１１のいずれか一項に記載の切断具であって、
前記作用部は波形状、または、ギザギザ形状の刃先を有していることを特徴とする切断具。
【請求項１３】
請求項１〜１２のいずれか一項に記載の切断具であって、
前記作用部の先端から前記接続部までが２０ｃｍ以下であることを特徴とする切断具。
【請求項１４】
請求項１〜１３のいずれか一項に記載の切断具であって、
前記作用部の最大肉厚部が１．２ｍｍ以下であることを特徴とする切断具。
【発明の詳細な説明】
【技術分野】
【０００１】
本発明は、切断具に関する。
【背景技術】
【０００２】
一般に、ものを切断する道具として切断具が広く使用されている。図９は従来の一般的な切断具、ここでは包丁、の側面と使用状態を示している。図９（Ａ），（Ｃ）は、従来の切断具の一例である包丁５１の側面を示している。
【０００３】
包丁５１は、物を切断するための作用部５２と、包丁５１を把持するための柄部５３を備えている。作用部５２は、峰５４および刃先５５を有している。作用部５２は接続部５６を介して柄部５３に接続している。
【０００４】
図９（Ｂ），（Ｄ）は、包丁５１の使用状態を示している。包丁５１を使用するときは、刃先５５を下にして、手７０で柄部５３を握り、手７０の動きで包丁５１の作用部５２を操作して切断対象物を切断する。
【０００５】
特許文献１は、柄部と作用部の接続部付近に親指を押しつけるための窪み部を有する包丁を提案している。この包丁では、包丁の使用時に親指を該窪み部に押しつけて柄部を把持することで、自然と刃を立てた状態で包丁を把持するように使用者を誘導する（図３参照）。
【先行技術文献】
【特許文献】
【０００６】
【特許文献１】登録実用新案第３１９６８７５号公報
【発明の概要】
【発明が解決しようとする課題】
【０００７】
通常の使用状態において、切断具で食材等の切断対象物を切る時は、以下の２つの切り方がある。切断対象物に対して切断具の刃を下にして、上から下に垂直に力をかけて押し切る「押し切り」と、切断対象に対して切断具の刃を水平方向に引いて切る「引き切り」とがある。なお、実際の切断において、押し切りと引き切りが同時に行われることも多い。
【０００８】
押し切りの時は、作用部が切断対象物の抵抗を受けるため、柄部に対して作用部の先端部分が上がってしまう傾向になる。
【０００９】
このため、押し切りを行うためには、作用部の先端部分に力をかける必要がある。
【００１０】
作用部の先端部分に力をかけるために、作用部の峰に他方の手をかける押し切ることがしばしば行われている。
【００１１】
しかし、刃の近傍に手を添えるのは安全上好ましくない。また、食材等に手が触れる可能性があるため、衛生の観点からも好ましくない。
【００１２】
一方、上記従来の切断具において、柄部のみを持って作用部の先端部分に力をかけようとすると、力が十分入らない問題があった。また、従来の切断具では、作用部に力をかけて押し切ろうとすると、刃の面が倒れやすくなり、刃の面を垂直に維持するために、多大な力で柄部をしっかり保持しなければならない問題があった。
【００１３】
特許文献１の技術によれば、刃の面の倒れを防止しやすくなっている。
【００１４】
特許文献１の技術によれば、包丁の柄部の先端部両側に、窪み部（特許文献１における「傾斜窪み部」）を設けている。そこに使用者の親指を誘導し、側面から包丁の柄部を支持するようになっている。側面から包丁の柄部を支持することにより、包丁の倒れを防止しやすくなり、切るときの刃の面のぐらつきを防止できるようになっている。
【００１５】
しかし、特許文献１の包丁によれば、傾斜窪み部は包丁の柄部を側面のみから押圧しているため、刃部の先端部分が切断対象物から抵抗を受けたときに、傾斜窪み部を中心として刃先が回転して上がってしまう問題があった。このため、結局は柄部を強く握りしめなければならず、このために切断が困難であった。
【００１６】
そこで、本発明の目的は、上記の従来技術の問題に鑑み、押し切り時に片手で力を入れやすく、安定的に保持しやすい切断具を提供することにある。
【課題を解決するための手段】
【００１７】
本発明の切断具は、たとえば、
切断をするための作用部と、
前記作用部と接続部を介して接続する柄部を備える切断具であって、
前記柄部の前記接続部側端部であって、押し切りの押圧側に設けられた、親指をかける第一指かけ部と、
前記第一指かけ部よりも前記接続部から離れた前記柄部の支持側に設けられた、人差し指や中指をかける第二指かけ部と、
を備えていることを特徴とする。
【００１８】
前記第二指かけ部は、前記接続部から前記第一指かけ部より１５ｍｍ以上離れている位置に設けられていてもよい。
【００１９】
前記柄部の側面に中指、薬指、小指のうちいずれかの指または複数の指で握るための第三指かけ部を備えていてもよい。
【００２０】
前記作用部の先端部に押し切りの押圧側に圧力をかけるための第四指かけ部を備えていてもよい。
【００２１】
前記作用部は刃先縁を有し、前記刃先縁に対して前記柄部の長手方向中心線が１６度以上傾斜していてもよい。
【００２２】
前記第一指かけ部は概略平面の頂面を有し、前記頂面は前記刃先縁に対して１０度以下傾斜していてもよい。
【００２３】
前記第二指かけ部は、直径２０ｍｍ以上の円の３分の１以上の円弧面を有していてもよい。
【００２４】
前記柄部の支持側は、前記第二指かけ部に隣接する突部から前記柄部の末端にかけて、緩やかに凹状に湾曲する湾曲部になっていてもよい。
【００２５】
前記第一指かけ部の頂面は、凹状に湾曲していてもよい。
【００２６】
前記作用部は、長手方向の水平断面で見て湾曲刃、三角刃または四角刃の形状を有していてもよい。
【００２７】
前記切断具は、そば切り用または餅切用の包丁でもよい。
【００２８】
前記作用部は波形状、または、ギザギザ形状の刃先を有していてもよい。
【００２９】
前記作用部の先端から前記接続部までが２０ｃｍ以下であってもよい。
【００３０】
前記作用部の最大肉厚部が２ｍｍ以下であってもよい。
【発明の効果】
【００３１】
本発明によれば、押し切り時に片手で力が入りやすく、安定的に保持しやすい切断具を提供することができる。
【図面の簡単な説明】
【００３２】
【図１】本発明の一実施形態による切断具の切断形状と共に示した平面図（Ａ）、平面図（Ｂ）、側面図（Ｃ）である。
【図２】本発明の一実施形態による切断具の力の作用状態を説明した説明図である。
【図３】従来の切断具の力の作用状態を説明した説明図である。
【図４】本発明の一実施形態による切断具の使用状態の側面図である。
【図５】本発明の一実施形態による切断具の使用状態の側面図である。
【図６】本発明の一実施形態による切断具の使用状態の側面図である。
【図７】本発明の一実施形態による切断具の平面図（Ａ）、側面図（Ｂ）である。
【図８】本発明の一実施形態による切断具の側面図である。
【図９】従来の切断具の一例としての包丁の側面図（Ａ）、使用状態の側面図（Ｂ）、側面図（Ｃ）、使用状態の側面図（Ｄ）である。
【発明を実施するための形態】
【００３３】
以下に実施形態の例を、図面を用いて説明する。また、必要に応じて従来技術を示して差異を説明する。
【００３４】
なお、以下の説明において、切断具の長さ方向を「長手方向」、切断具の長さ方向に対して直角な方向を「横断方向」とする。本願の切断具は、使用時において、柄を握って切断具を押し下げる使用状態を想定しており、押し切りを行うときに切断具を押す側を「押圧側」（刃の峰側または上側）とし、柄部を下から支える側を「支持側」（刃側または下側）とする。また、切断具の長手方向で、使用者にとって近位側を「基端側」、使用者にとって遠位側を「先端側」とする。
【００３５】
図１は、切断具の一例としての包丁１を示している。図１（Ａ）は包丁１による切断したものの例と包丁１を共に示した平面図、図１（Ｂ）は包丁１の平面図、図１（Ｃ）は包丁１の側面図を示している。
【００３６】
図１に示すように、包丁１は、物を切断する作用部２と、包丁１を把持する柄部３を備えている。
【００３７】
作用部２は、峰４および刃先５を有している。作用部２は接続部６を介して柄部３に接続している。
【００３８】
本実施形態の作用部２は、長手方向の水平断面で見て波形に湾曲した湾曲刃（横波刃）を有している。該湾曲刃（横波刃）で切断した場合、切断物は波形の切り口形状を有し、切断したものの美観や調理のしやすさから好ましい場合がある。
【００３９】
たとえば、最初の切り口に対して、作用部２を長手方向に半ピッチずらして切断すると、図１（Ａ）に示すような厚さが異なる部分が繰り返し現れる切断物を得ることができる。また、たとえば、最初の切り口に対して、作用部２を長手方向にずらさずに厚みをつけて切断すると、厚さが一定の波形形状の切断物を得ることができる。
【００４０】
本実施形態の湾曲刃の波目の深さｄ１は、ピッチ幅ｐの同程度以上の距離を有しているのが好ましい。たとえば波目深さｄ１／ピッチ幅ｐは０．６〜２．０であるのが好ましく、さらに好ましくは波目深さｄ１／ピッチ幅ｐは０．８〜１．８である。波目深さｄ１／ピッチ幅ｐが０．８〜１．８である場合、波目深さｄ１が１ｃｍであるときは、ピッチ幅ｐは０．６〜１．２５ｃｍである。
【００４１】
作用部２の長手方向の水平断面で見たときの形状は、上記した波形に限られず、他の曲線的な湾曲形状の湾曲刃、直線的な三角刃または四角刃の形状を有していてもよい。
【００４２】
また、本実施形態の作用部２の刃先５は、側面から見て直線的な直刃であるが、刃先５の側面から見た形状は任意である。たとえば、ギザギザ形状の刃先であってもよいし、波形状の刃先であってもよい。
【００４３】
作用部２の先端から接続部６までの距離（刀身）は、７ｃｍ〜２５ｃｍ、より好ましくは８ｃｍ〜１８ｃｍであるのが好ましい。作用部２の最大肉厚部は２ｍｍ以下であってもかまわない。湾曲刃（横波刃）は、例えば人参のような硬い食材に波型を形成して切り分ける際に、左右に切分かれるそれぞれの波部が湾曲刃（横波刃）の刃の傾斜面に当たり抵抗が発生する。このため、刃の肉厚が厚いとスムーズに切り別れにくくなる。また、肉厚が厚いと波を形成する際に、細かなピッチの波目ができない。これらのことから、好ましくは、０．６ｍｍ〜１．２ｍｍが良い。
柄部３の接続部６近傍位置、すなわち、柄部３の接続部側端部であって、押し切りをするときの押圧側には、親指をかける第一指かけ部７が設けられている。第一指かけ部７は親指をかけやすい形状の平面または曲面の頂面８を有している。第一指かけ部７の頂面８には、凸状または凹状の滑り止め９を設けても良い。
【００４４】
第一指かけ部７の頂面８は、横断方向に一定の幅を有するのが好ましい。第一指かけ部７の幅は約１ｃｍまたは１ｃｍ以上であるのが好ましい。第一指かけ部７の幅は柄部３の同方向の幅と等しくても良いが、柄部３の幅と独立に定めてもよい。第一指かけ部７の頂面８の平面視の形状は、概略矩形でもよいし、円形、楕円形など、任意の形状としてよい。
【００４５】
第一指かけ部７は、柄部３と同じ素材あるいは異なる素材からなっていてよい。また、第一指かけ部７は、柄部３と一体になって形成されていてもよいし、別部材を組み合わせ形成されたものでもよい。第一指かけ部７は、柔軟部材であって、たとえば衝撃吸収性の高分子ゲル（ジェル）や、１０〜３０度の硬度を有するエラストマーやシリコンゴム等であってもよい。逆に、第一指かけ部７は、比較的剛性を有する部材であって、たとえば材質はエラストマー、やシリコンゴムＡＢＳやＰＥＴＧ（トライタン）、ポリプロピレン、ナイロン、塩化ビニール、またはポリウレタンフォーム等であってもよい。
【００４６】
本実施形態は、第一指かけ部７より接続部６から離れた柄部３の位置であって、柄部３の支持側に設けられた人差し指や中指をかける第二指かけ部１０を有している。
【００４７】
具体的には、第二指かけ部１０は、人差し指や中指をかけやすい凹部からなる。第二指かけ部１０の凹部は、直径２０ｍｍ以上の円の３分の１以上の円弧面を有するようにしてよい。
【００４８】
第二指かけ部１０は、接続部６から第一指かけ部７より１５ｍｍ〜４０ｍｍ以上（より好ましくは、１５ｍｍ〜３０ｍｍ）離れた前方位置に設けられているのが好ましい。この作用効果については後述する。
【００４９】
また、記述を変えると、第一指かけ部７の中心ｃ２（親指の腹の当たる部分の直径を平均的に２０ｍｍとして定義した）は、第二指かけ部１０の中心ｃ１（人差し指の直径を１８ｍｍとして定義した）より１５ｍｍ〜４０ｍｍ以上（より好ましくは、１５ｍｍ〜３０ｍｍ）離れた前方位置Ｌ１に設けられているのが好ましい。
【００５０】
第二指かけ部１０は、凹部に形成した結果によって生じるか、意図的に形成したか、あるいはその双方により、隣接突部１１を有している。柄部３の支持側は、隣接突部１１から柄部３の末端にかけて、緩やかに凹状に湾曲する湾曲部１２になっている。
【００５１】
隣接突部１１は、接続部６から第一指かけ部７より１６ｍｍ〜４０ｍｍ以上（より好ましくは、１６ｍｍ〜３０ｍｍ）離れた位置に設けられているのが好ましい
柄部３の側面には、中指、薬指、小指のうちいずれかの指または複数の指で握るための第三指かけ部１３が備えられている。第三指かけ部１３は、中指、薬指、小指で握りやすい形状になっていればよい。具体的に、第三指かけ部１３は、握り部１４の側面に設けた緩やかな凹部、または、握り部１４の横断面を略扁平または楕円にした部分からなるようにしてよい。
【００５２】
図１（Ｃ）に示すように、本実施形態の柄部３の長手方向中心線は作用部２に対して傾斜している。より精密にいえば、作用部２は刃先５の縁を有し、その刃先５の縁に対して柄部３の長手方向中心線が１６度〜５０度傾斜している。好ましくは、作用部２の刃先５の縁に対して、柄部３の長手方向中心線は２０度〜４５度傾斜している。
【００５３】
第一指かけ部７の頂面８も、刃先５の縁に対して傾斜することができる。
【００５４】
作用部２の刃先５の縁（切断縁）に対して、柄部３の長手方向中心線の傾斜角度をα、第一指かけ部７の頂面８の傾斜角度をβとすると、第一指かけ部７の頂面８の傾斜角度βを、柄部３の長手方向中心線の傾斜角度α以下にするのが好ましい。
【００５５】
作用部２の刃先５の縁に対する柄部３の長手方向中心線の傾斜角度が１６度以上であるとき、作用部２の刃先５の縁に対して、第一指かけ部７の頂面８の傾斜角度は１０度以下であるのが好ましい。
【００５６】
柄部３の長手方向中心線の傾斜角度αより、第一指かけ部７の頂面８の傾斜角度βが小さいことにより、親指に力が入りやすくなる効果がある。
【００５７】
また、第一指かけ部７の頂面８は、凹状に湾曲しているようにすることができる。
【００５８】
第一指かけ部７の頂面８が、柄部側から接続部側にかけて、凹状に湾曲していることにより、第一指かけ部７に親指を置いたときに、親指が第一指かけ部７にフィットしやすい。また、包丁１の上下方向または前後方向の往復運動に対しても親指が前のめりにずれにくいため、使いやすい。また、表面に凸状や凹状の段差を複数設けることで、より前方に滑りにくくすることができる。
【００５９】
ここで、図２と図３を用いて、柄部３の長手方向中心線が傾斜していることの作用効果について説明する。
【００６０】
図２は本実施形態の包丁１によって切断対象物２０を切断する状態を示している。図２のうち、図２（Ａ）は包丁１を側面から見た側面図、図２（Ｂ）は作用部２を正面から見た横断面図である。
【００６１】
柄部３の長手方向中心線が１６度以上傾斜している場合、図２（Ａ）に示すように、作用部２の刃先５が、柄部３の力の作用線より上方に位置する。このため、柄部３を握って押し切るように下向きに動かすと、遅れるようにして刃先５が切断対象物２０にあたり、この結果、図２（Ｂ）に示すように、押し下げる力ｆ１に対して抵抗ｆ２が力ｆ１の上方で上向きに作用する。
【００６２】
この力の作用状態で、刃の面が倒れる（傾斜する）と、押し下げる力がｆ３のような状態になり、力ｆ１と抵抗ｆ２がずれるため、刃の面を起こす方向Ｒ１の偶力が働く。これにより、刃の面が垂直に戻るようになる。
【００６３】
つまり、柄部３の長手方向中心線が傾斜していることにより、切断で押し下げるときに刃の面の倒れを自然に矯正できるようになる。
【００６４】
比較として、図３に従来の包丁５１による切断状態を示す。
【００６５】
図３のうち、図３（Ａ）は包丁５１を側面から見た側面図、図３（Ｂ）は作用部５２を正面から見た横断面図である。
【００６６】
従来の包丁５１は作用部５２と柄部５３がほぼ直線的に接続されているため、図３（Ａ）に示すように、作用部５２の刃先５５が、柄部５３の力の作用線より下方に位置している。このため、柄部５３を握って押し切るように下向きに動かすと、刃先５５が切断対象物２０に当たり、この結果、図３（Ｂ）に示すように、押し下げる力ｆ１に対して抵抗ｆ２が力ｆ１の下方で上向きに作用する。
【００６７】
この力の作用状態で、刃の面が倒れると、押し下げる力がｆ３のような状態になり、力ｆ１と抵抗ｆ２がずれて刃の面を倒す方向Ｒ３の偶力が働く。これにより、刃の面がさらに倒れるようになる。
【００６８】
つまり、作用部２と柄部３の長手方向中心線が直線的に接続されていることにより、切断で押し下げるときに刃の面が倒れやすくなる。
【００６９】
図２と図３の説明から明らかなように、本実施形態は、作用部２の刃先５の縁に対して、柄部３の長手方向中心線が１６度以上または２０度以上傾斜していることにより、切り下げたときに刃の面が垂直状態に安定しやすくなり、この結果、刃の面が倒れないように多大な力で柄部３を把持する必要がなくなる。このため、容易に切断することができるようになる。
【００７０】
次に、図４を用いて、他の実施形態の包丁１ａの構成と第一指かけ部７ａと第二指かけ部１０ａと第三指かけ部１３ａの作用効果について説明する。
【００７１】
なお、図４において、図１と同一の部分には同一の符号を付して重複する説明を省略することがある。
【００７２】
図４の包丁１ａは、異なる形状の第三指かけ部１３ａを有している他は、図１の包丁１と同じ構成を有している。
【００７３】
本実施形態の第三指かけ部１３ａは、握り部１４ａの側面に形成された、中指、薬指、小指の腹にフィットする緩やかな凹部からなる。この第三指かけ部１３ａに中指、薬指、小指をかけて握り部１４ａを握ることにより、包丁１ａをしっかり把持することができるようになっている。
【００７４】
ここで、図４を用いて、指かけ部の作用効果について説明する。なお、この指かけ部の作用効果は図１の包丁１の場合も同様である。
【００７５】
前述したように、柄部３ａを握って下向きに力をかけて切り下ろすと、切断対象物の抵抗が作用部２ａに作用し、作用部２ａの先端が上がって、包丁１ａが図４において時計回りに回転しようとする。これに対して、作用部２ａを平行に押し切るためには、包丁１ａに対して、図４に示す反時計回りのトルクＸをかけて、時計回りの回転を打ち消す必要がある。
【００７６】
本実施形態によれば、第一指かけ部７ａに親指をかけ、第二指かけ部１０ａに人差し指等をかけるため、図４に示すように柄部３ａに力ＹとＺが作用し、結果として、反時計回りのトルクＸを生じることができる。この場合、第二指かけ部１０は接続部６から第一指かけ部７ａより１５ｍｍ以上離れているため、力ＹとＺの作用線間の距離が約１５ｍｍ以上になり、小さな力ＹとＺによって大きな反時計回りのトルクＸを生じることができる。
【００７７】
反時計回りのトルクＸにより、作用部２ａの先端に力がかかり、作用部２ａの刃先５を水平に維持したまま、押し切りをすることができるようになる。
【００７８】
さらに、包丁１ａは、隣接突部１１から柄部３ａの基端まで、緩やかに凹状に湾曲する湾曲部になっているため、中指、薬指、小指から力を受けて反時計回りのトルクＸが増大する。このため、小さな力で柄部３ａを把持し、大きな反時計回りのトルクＸを生じさせることができる。さらに、第三指かけ部１３ａにより、握り部１４ａの側面から柄部３ａを掌に向けて挟持し、安定的に柄部３ａを把持することができるようになる。
【００７９】
握り部１４ａの幅Ｗ１は、中指の第一関節を折り曲げて押し付けた状態の内側の長さを平均的な長さを２０ｍｍとすると２０ｍｍ以上の幅を設ける。好ましくは２８ｍｍ〜４５ｍｍである。
【００８０】
図５は、さらに他の実施形態による包丁１ｂを示している。
【００８１】
図５は、図４の包丁１ａの作用部先端側にさらに第四指掛け部１５を設けたものを示す。
【００８２】
図５において、図４と同一の部分には同一の符号を付して重複する説明を省略することがある。
【００８３】
横波刃の包丁を握り部１４ｂのみを握って操作しようとすると、食材に対し上から真っすぐに刃を掛けると共に支持側方向への力を多く要する。
【００８４】
包丁１ｂは、第四指掛け部１５を有することにより、安定的に力をかけやすくすることができる。また、先端部に第四指掛け部１５を有することによって、作用部２ｂの先端から接続部６までの距離（刀身）をより長くできる。刀身は、７ｃｍ〜３０ｃｍ、より好ましくは８ｍｍ〜２５ｃｍであるのが好ましい。作用部２ｂの最大肉厚部は２ｍｍ以下であってもかまわない。好ましくは、０．６ｍｍ〜１．２ｍｍである。
【００８５】
使用する際は、包丁１ｂの作用部２ｂを食材の上に垂直に置く。柄部３ｂを握っていない方の手のうちいずれかの指または複数の指を第四指掛け部１５の頂面８ｂにかける。柄部３ｂを握っている手および第四指掛け部１５にかけている指の力を下方にかけることによって、片手で食材を切る際よりも大きな力で切断することができる。
【００８６】
第四指掛け部１５の頂面８ｂは、略平面または凹状に湾曲していて、凹状に湾曲している場合は、指が第四指掛け部１５にフィットしやすい。頂面８ｂの平面視の形状は、概略矩形でもよいし、円形、楕円形など、任意の形状としてよい。
【００８７】
第四指掛け部１５は、包丁１ｂと一体化していてもよいし、または取り外し可能であっても良い。
【００８８】
本実施形態は、例えばリュウマチ等で力が入れにくい人や非力な人が包丁を使用する時や、通常の使用者がかぼちゃや餅など硬いものを切る時にも有用である。
【００８９】
第四指掛け部１５を設けることで、包丁１ｂの先端を保護する効果もあるため、高齢者や子供も安心して使用できる。ここで、第四指掛け部１５には、必ずしも指のみを掛けるのではなく、指以外の部分（例えば、手刀部）を掛けて使用しても良い。
【００９０】
図６は、さらに他の実施形態による包丁１ｃを示している。
【００９１】
なお、図６において、図１と同一の部分には同一の符号を付して重複する説明を省略することがある。
【００９２】
図６の包丁１ｃは、異なる形状の第一指かけ部７ｃを有している他は、図１の包丁１と同じ構成を有している。
【００９３】
包丁１ｃの第一指かけ部７ｃは、先端部分が作用部２ｃ側にせり出すような形状、すなわち、図６に示すように、接続部６ｃが側面視で前傾する曲線になっている。
【００９４】
第一指かけ部７ｃの頂面８ｃは平面または緩やかな凹面になっている。従って、第二指かけ部１０近傍で柄部３ｃの握りが細く、第一指かけ部７ｃ近傍で柄部３ｃの握りが太くなっている。
【００９５】
本実施形態によれば、第一指かけ部７ｃと第二指かけ部１０の距離がさらに大きくなり、力ＹとＺの作用線間の距離が大きくなり、これによって、小さな力Ｙ，Ｚによって大きな反時計回りのトルクＸを生じることができる。
【００９６】
また、第一指かけ部７ｃの先端部分が作用部２ｃ側にせり出すようになっているため、親指が滑って作用部２ｃに触れる可能性が低くなり、安全である。
【００９７】
図７は、さらに他の実施形態による包丁１ｄを示している。図７（Ａ）は包丁１ｄの平面図、図７（Ｂ）は包丁１ｄの側面図を示している。
【００９８】
なお、図７において、図６と同一の部分には同一の符号を付して重複する説明を省略することがある。
【００９９】
図７の包丁１ｄは、異なる形状の第二指かけ部１０ｄを有し、作用部２ｄが湾曲刃（横波刃）ではなく通常の板状刃になっているため、刃構造や刃の肉厚、刀身などは異なっても良いが、他は、図６の包丁１ｃと同じ構成を有している。
【０１００】
包丁１ｄは、作用部２ｄと柄部３ｄを有し、作用部２ｄは、図７（Ａ）に明らかに示すように、板状刃になっている。
【０１０１】
柄部３ｄの第二指かけ部１０ｄは、人差し指と中指の２本をかけることができる幅広な凹部になっている。第二指かけ部１０ｄに隣接する部分には、隣接突部１１ｄが形成されている。
【０１０２】
第一指かけ部７ｄは、図６の第一指かけ部７ｃと同様に、先端部分が作用部２ｄ側にせり出すような形状を有しているため、第二指かけ部１０ｄ近傍で柄部３ｄの握りが細く、第一指かけ部７ｄ近傍で柄部３ｄの握りが太くなっている。
【０１０３】
本実施形態によれば、第二指かけ部１０ｄが幅広な凹部になっており、人差し指と中指の２本をかけるため、力Ｚが大きく、その作用中心線が第一指かけ部７ｄからさらに離れるため、大きな反時計回りのトルクＸを生じることができる。
【０１０４】
図８は、さらに他の実施形態による包丁１ｅを示している。
【０１０５】
なお、図８において、図１と同一の部分には同一の符号を付して重複する説明を省略することがある。
【０１０６】
図８の包丁１ｅは、作用部２ｅが湾曲刃ではなく通常の板状刃になっており、刃先５ｅが波形状、または、ギザギザ形状になっている他は、図１の包丁１と同様の構成を有している。
【０１０７】
本実施形態の作用効果は、既述した包丁１，１ｂ，１ｃと同様である。
【０１０８】
なお、本実施形態の切断具は、そば切り包丁、餅切用包丁などの様々な包丁、ナイフ、カッター等にして使用することができる。上述した切断具具に限られず、種々の調理用切断具、野菜加工用切断具として使用することができる。ここで、調理用切断具、野菜加工用切断具は、機械的なメカニズムの機械／器具の作用部も含むものとする。
【０１０９】
上記の記載に基づいて、当業者であれば、本発明の追加の効果や種々の変形を想到できるかもしれないが、本発明の態様は、上述した実施形態の例に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１１０】
１、５１、１ａ、１ｂ、１ｃ、１ｄ、１ｅ：包丁
２、５２、２ｂ、２ｃ、２ｄ、２ｅ：作用部
３、５３、３ａ、３ｂ、３ｃ、３ｄ、３ｅ：柄部
４、５４、４ｂ、４ｃ、４ｄ、４ｅ：峰
５、５５、５ｂ、５ｃ、５ｄ、５ｅ：刃先
６、５６、６ｂ、６ｃ：接続部
７、７ａ、７ｂ、７ｃ、７ｅ：第一指かけ部
８、８ｂ、８ｃ：頂面
９：滑り止め
１０、１０ｃ：第二指かけ部
１１、１１ｃ：隣接突部
１２、１２ｃ：湾曲部
１３、１３ａ、１３ｂ：第三指かけ部
１４、１４ａ、１４ｂ、１４ｃ、１４ｄ：握り部
１５：第四指掛け部
２０：切断対象物
７０：手
【図１】
2020127599.tif 000003
【図２】
2020127599.tif 000004
【図３】
2020127599.tif 000005
【図４】
2020127599.tif 000006
【図５】
2020127599.tif 000007
【図６】
2020127599.tif 000008
【図７】
2020127599.tif 000009
【図８】
2020127599.tif 000010
【図９】
2020127599.tif 000011
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
切断をするための作用部と、
前記作用部と接続部を介して接続する柄部を備える切断具であって、
前記柄部の前記接続部側端部であって、押し切りの押圧側に設けられた、親指をかける第一指かけ部と、
前記第一指かけ部よりも前記接続部から離れた前記柄部の支持側に設けられた、人差し指や中指をかける第二指かけ部と、を備え、
さらに、前記作用部の先端部に前記作用部の長手方向に延出するように設けられた第四指かけ部を備え、
前記第四指かけ部は、指をかけるための頂面が、前記作用部の刃先前方末端よりも前方に位置する
ことを特徴とする切断具。
【請求項２】
請求項１に記載の切断具であって、
前記第二指かけ部は、前記接続部から前記第一指かけ部より１５ｍｍ以上離れている位置に設けられていることを特徴とする切断具。
【請求項３】
請求項１または２のいずれかに記載の切断具であって、
前記柄部の側面に中指、薬指、小指のうちいずれかの指または複数の指で握るための第三指かけ部を備えていることを特徴とする切断具。
【請求項４】
請求項１〜３のいずれか一項に記載の切断具であって、
前記作用部は刃先縁を有し、前記刃先縁に対して前記柄部の長手方向中心線が２０度〜４５度傾斜していることを特徴とする切断具。
【請求項５】
請求項１〜４のいずれか一項に記載の切断具であって、
前記第二指かけ部は、直径２０ｍｍ以上の円の３分の１以上の円弧面を有していることを特徴とする切断具。
【請求項６】
請求項１〜５のいずれか一項に記載の切断具であって、
前記柄部の支持側は、前記第二指かけ部に隣接する突部から前記柄部の末端にかけて、緩やかに凹状に湾曲する湾曲部になっていることを特徴とする切断具。
【請求項７】
請求項１〜６のいずれか一項に記載の切断具であって、
前記第一指かけ部の頂面は、凹状に湾曲していることを特徴とする切断具。
【請求項８】
請求項１〜７のいずれか一項に記載の切断具であって、
前記作用部は、長手方向の水平断面で見て湾曲刃、三角刃または四角刃の形状を有していることを特徴とする切断具。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
切断をするための作用部と、
前記作用部と接続部を介して接続する柄部を備える切断具であって、
前記柄部の前記接続部側端部であって、押し切りの押圧側に設けられた、親指をかける第一指かけ部と、
前記第一指かけ部よりも前記接続部から離れた前記柄部の支持側に設けられた、人差し指や中指をかける第二指かけ部と、を備え、
さらに、前記作用部の先端部に前記作用部の長手方向に延出するように設けられた第四指かけ部を備え、
前記第四指かけ部は、略前記作用部の刃先前方末端の上方から前方に延出し、指をかけるための頂面が、前記作用部の刃先前方末端よりも前方に位置する
ことを特徴とする切断具。